(57)【特許請求の範囲】
【請求項１】
誘電体基体と、第１の共振器と、第２の共振器と、接地電極と、第１の外部端子と、第２の外部端子とを含むフィルタであって、
前記第１及び第２の共振器は、それぞれ、第１の内部電極と、第２の内部電極と、接続導体とを含み、前記誘電体基体に埋設されており、
前記第１の内部電極は、筒状であり、
前記第２の内部電極は、柱状であって、その外周面が、該誘電体を挟んで前記第１の内部電極の内周面と対向し、一方の端部が前記第１の内部電極の開口面から突出しており、
前記接続導体は、平板形状であって、その板面の一方において前記第１及び第２の内部電極の他方の端部と接続されており、
前記第１及び第２の共振器は、前記第１の内部電極の外周面を互いに対向させて並んでおり、
前記接地電極は、
２組の対向する平面を備えた方形の筒状電極であって、
前記第１及び第２の共振器を取り囲み、
前記平面の一つが、前記接続導体の板面と対向し、
前記平面の一つと対向する平面が、前記第１及び第２の共振器の前記第２の内部電極の前記一方の端部に共通に接続されており、
前記第１及び第２の外部端子は、前記第１及び第２の共振器の前記接続導体と、それぞれ接続されている、
フィルタ。
【発明の詳細な説明】
【技術分野】
【０００１】
本発明は、共振器、フィルタ、及び、共振器の製造方法に関する。
【背景技術】
【０００２】
共振器は、例えば、携帯電話等の電子機器において、フィルタとして用いられる。例えば、特許文献１では、コンデンサの電極に発生する渦電流を低減するために、インダクタ導体を絶縁シートに対して垂直に、コンデンサ電極を絶縁シートに対して平行に構成したＬＣ共振器が開示されている。
【０００３】
フィルタは、複数の共振器を配置して相互に電磁結合させることによって、所望の周波数特性を得る。しかしながら、上記のＬＣ共振器は、コンデンサ電極が絶縁シートに対して平行に設けられているから、配置するにあたって距離制限があり、フィルタを構成するにあたって、小型化及び低背化に限界があるという問題が存在する。
【特許文献１】特許第３５０１３２７号
【発明の開示】
【発明が解決しようとする課題】
【０００４】
本発明の課題は、小型化及び低背化に好適な共振器、フィルタを提供することである。
【０００５】
本発明のもう一つの課題は、上述した共振器の製造に適した製造方法を提供することである。
【課題を解決するための手段】
【０００６】
１．共振器
上述した課題を解決するため、本発明に係る共振器は、誘電体基体と、第１の内部電極と、第２の内部電極と、接続導体とを含む。前記第１の内部電極は、筒状であって、前記誘電体基体に埋設されている。前記第２の内部電極は、柱状であって、その外周面が前記第１の内部電極の内周面と対向するように、前記誘電体基体に埋設されている。
【０００７】
前記接続導体は、前記第１の内部電極及び前記第２の内部電極を接続するように、前記誘電体基体に埋設されている。前記第１の内部電極と前記第２の内部電極により挟まれた領域に前記誘電体基体が存在する。
【０００８】
上述したように、第１の内部電極と第２の内部電極は、誘電体基体を挟み込んでいるから、第１の内部電極と第２の内部電極の間には結合容量が発生している。また、第１の内部電極と第２の内部電極は、インダクタ成分を有し、接続導体によって互いに接続されているから、本発明に係る共振器は、コンデンサとインダクタの並列回路となる。
【０００９】
さらに、第２の内部電極は柱状であり、一方、第１の内部電極は筒状であって、筒の内側に第２の内部電極が配置されているから、本発明に係る共振器は、細長い形状に形成し得る。したがって、複数の共振器を並べるにあたって、距離制限がないから、複数の共振器を高密度に配置でき、小型化及び低背化に好適である。
【００１０】
２．フィルタ
本発明に係るフィルタは、第１の共振器と、第２の共振器と、接地電極と、第１の外部端子と、第２の外部端子とを含む。本発明に係るフィルタは、例えば、バンドパスフィルタである。
【００１１】
前記第１及び第２の共振器は、上述した共振器であって、前記接続導体が、平板形状であり、その板面の一方において前記第１及び第２の内部電極の一方の端部と接続され、前記第２の内部電極が、他方の端部が前記第１の内部電極の開口面から突出している共振器である。前記第１及び第２の共振器は、前記第１の内部電極の外周面を互いに対向させて並んでいる。
【００１２】
前記接地電極は、２組の対向する平面を備えた方形の筒状電極である。前記接地電極は、前記第１及び第２の共振器を取り囲み、前記平面の一つが、前記接続導体の板面と対向し、前記平面の一つと対向する平面が、前記第２の内部電極の前記他方の端部に接続されている。前記第１及び第２の外部端子は、前記第１及び第２の共振器の前記接続導体と、それぞれ接続されている。
【００１３】
上述したように、本発明に係るフィルタは、本発明に係る共振器を用いているので、本発明の共振器の優れた作用効果を享受することができる。
【００１４】
３．共振器の製造方法
本発明に係る共振器の製造方法は、以下の第１〜第６の工程を含む。第１の工程では、誘電体シートにスルーホールを形成する。第２の工程では、前記スルーホールの壁面に、第１の内部電極を形成する。第３の工程では、前記スルーホールを誘電体で埋める。第４の工程では、前記誘電体を貫通するスルーホールを形成する。
【００１５】
第５の工程では、前記第４の工程において形成したスルーホールを導電体で埋めることによって、第２の内部電極を形成する。第６の工程では、前記誘電体シートの表面に、前記第１及び第２の内部電極を接続する接続導体を形成する。
【００１６】
上述した本発明に係る共振器の製造方法によれば、誘電体シートに設けたスルーホールを利用して第１及び第２の内部電極を形成しているから、本発明の共振器を容易に得ることができる。この製造方法は、フィルタ等の製造に当たっても適用できる。
【発明の効果】
【００１７】
以上述べたように、本発明によれば、小型化及び低背化に好適な共振器、フィルタを提供することができる。また、上述した共振器、フィルタの製造に適した製造方法を提供することができる。
【発明を実施するための最良の形態】
【００１８】
１．共振器及びフィルタ
図１は本発明に係るフィルタを示す斜視図、図２は図１に示したフィルタのII−II線断面図、図３は図２に示したフィルタのIII−III線断面図である。図示されたフィルタは、例えば、バンドパスフィルタである。フィルタは、共振器Ｑ１，Ｑ２と、接地電極ＧＮＤと、外部端子Ｔ１，Ｔ２とを含む。まず、共振器Ｑ１，Ｑ２について説明する。
【００１９】
共振器Ｑ１，Ｑ２は、誘電体基体Ｄと、第１の内部電極５１と、第２の内部電極５２と、接続導体５４とを含む。第１の内部電極５１は、筒状であって、誘電体基体Ｄに埋設されている。第２の内部電極５２は、柱状であって、その外周面が第１の内部電極５１の内周面と対向するように、誘電体基体Ｄに埋設されている。具体的には、第１の内部電極５１は円筒形状であって、その筒の内側に、円柱状の第２の内部電極５２が、同心円状に設けられている。なお、第１の内部電極５１は方形の筒状でもよく、また、第２の内部電極５２も四角柱形状でもよい。
【００２０】
第２の内部電極５２は、一方の端部Ａ１（図１を参照）が第１の内部電極５１の開口面から突出している。第１の内部電極５１と第２の内部電極５２により挟まれた領域Ｅ（図３を参照）には誘電体基体Ｄが存在する。
【００２１】
接続導体５４は、第１の内部電極５１及び第２の内部電極５２を接続するように、誘電体基体Ｄに埋設されている。具体的には、接続導体５４は、矩形の平板形状であり、その板面の一方において第１及び第２の内部電極５１，５２の他方の端部Ｂ１，Ａ２（図１を参照）と接続されている。
【００２２】
上述したように、第１の内部電極５１と第２の内部電極５２は、誘電体基体Ｄを挟み込んでいるから、第１の内部電極５１と第２の内部電極５２の間には結合容量が発生している。また、第１の内部電極５１と第２の内部電極５２は、インダクタ成分を有し、接続導体５４によって互いに接続されているから、本発明に係る共振器は、図４に示すような、コンデンサＣとインダクタＬの並列回路となる。
【００２３】
さらに、第２の内部電極５２は柱状であり、一方、第１の内部電極５１は筒状であって、筒の内側に第２の内部電極５１が配置されているから、本発明に係る共振器は、細長い形状に形成し得る。したがって、複数の共振器を並べるにあたって、距離制限がないから、複数の共振器を高密度に配置でき、小型化及び低背化に好適である。
【００２４】
例えば、後述するように、誘電体シートを用いて共振器Ｑ１，Ｑ２を製造する場合、第２の内部電極５２の高さＨを８００（μｍ）、直径Ｗ１を２００（μｍ）、厚みＷ２を５（μｍ）とすることができ、一方、第２の内部電極５２の直径Ｗ３を１００（μｍ）とすることができる（図２を参照）。
【００２５】
第１及び第２の共振器Ｑ１，Ｑ２は、第１の内部電極５１の外周面を互いに対向させて並んでいる。上述したように、共振器Ｑ１，Ｑ２は細長い形状であるから、互いに近づけて配置することができ、これにより相互インダクタンス、並びに結合容量が発生している。
【００２６】
接地電極ＧＮＤは、２組の対向する平面を備えた方形の筒状電極である。接地電極ＧＮＤは、共振器Ｑ１，Ｑ２を取り囲み、上部の平面Ｓ１が、接続導体５４の板面と対向し、この平面Ｓ１と対向する平面Ｓ２が、第２の内部電極５２の端部Ａ１に接続されている（図２を参照）。
【００２７】
接続導体５４には、フィルタの両端に向かうようにリード部Ｕ１，Ｕ２が延設されている。第１及び第２の外部端子Ｔ１，Ｔ２は、このリード部Ｕ１，Ｕ２を介して、共振器Ｑ１，Ｑ２の接続導体５４と、それぞれ接続されている。
【００２８】
図５は、図１〜図３に示したフィルタの等価回路図である。共振器Ｑ１，Ｑ２の接続導体５４と接地電極ＧＮＤは、コンデンサＣｑ１１，Ｃｑ２１によって容量結合されている。また、共振器Ｑ１，Ｑ２の第１の内部電極５１は、インダクタンスＬ１，Ｌ２を構成し、第１の内部電極５１と第２の内部電極５２は、コンデンサＣｑ１２，Ｃｑ２２によって容量結合されている。共振器Ｑ１，Ｑ２の第２の内部電極５２は、互いに相互インダクタンスＭによって結合されており、コンデンサＣｑ３の容量結合も発生している。
【００２９】
さらに、第１の内部電極５１の下方の端部Ｂ２と、接地電極ＧＮＤの平面Ｓ２も、コンデンサＣｑ１３，Ｃｑ２３により容量結合が発生している。ここで、インダクタンスＬ１，Ｌ２、並びにコンデンサＣｑ１３，Ｃｑ２３は、第１の内部電極５１の第２の内部電極５２からの突出分の長さΔＨ（図２を参照）に応じて変化する。
【００３０】
図６は、本実施形態のフィルタ特性、並びに比較例である。ここで、横軸は周波数（ＧＨｚ）を示し、縦軸は減衰量（ｄＢ）を示している。これによると、ΔＨ＝３０（μｍ）の場合（図中の実線）、約５．５（ＧＨｚ）近傍に通過帯域があり、ΔＨ＝５０（μｍ）の場合（図中の点線）、約６．４（ＧＨｚ）近傍に通過帯域があることがわかる。これに対し、比較例として、第１の内部電極５１がない場合（図中の一点鎖線）を示しているが、有効な通過帯域が見当たらない。したがって、本発明に係るフィルタは、ΔＨに応じた通過帯域を持つ、良好な特性を示している。
【００３１】
また、本発明に係るフィルタは、本発明に係る共振器を用いているので、本発明の共振器の優れた作用効果を享受することができる。
２．共振器の製造方法
次に、図７〜図１６に、本発明に係る共振器の製造工程を示す。図７〜図１６は、図１の共振器Ｑ１，Ｑ２を、II−II線断面で見た状態を示している。
【００３２】
まず、図７のように、誘電体シート２０を用意する。誘電体シート２０としては、例えばＬＴＣＣ（Low Temperature Co-fired Ceramics：低温同時焼成セラミックス）基板用のグリーンシートを用いることができる。
【００３３】
次に、図８のように、誘電体シート２０にスルーホールＴＨ１を形成する。スルーホールＴＨ１は、例えば、汎用のパンチングマシンを用いて、穴あけを行なうことで得られる。さらに、図９のように、スルーホールＴＨ１を導体ペーストＭ１で埋めた後、図１０のように、導体ペーストＭ１を貫通するスルーホールＴＨ２を形成する。これにより、スルーホールＴＨ１の壁面に、第１の内部電極５１を形成する。このとき、導体ペーストＭ１の代わりに、スパッタにより導体膜を形成し、第１の内部電極５１を得てもよい。
【００３４】
次に、図１１のように、スルーホールＴＨ１を誘電体ペーストＭ２で埋めた後、図１２のように、誘電体シート２０の下に、他の誘電体シート２１を積層する。
【００３５】
次に、図１３のように、誘電体ペーストＭ２を貫通して、誘電体シート２０と誘電体シート２１に跨るスルーホールＴＨ３を形成する。そして、図１４のように、スルーホールＴＨ３を導電体ペーストで埋めることによって、第２の内部電極５２を形成する。
【００３６】
最後に、図１５のように、誘電体シート２０の表面に、第１及び第２の内部電極５１，５２を接続する接続導体５４を形成し、図１６のように、その表面に、さらに他の誘電体シート２２を積層する。ここで、接続導体５４は、スパッタ、蒸着などの薄膜形成技術、印刷、めっき又はそれらの組み合わせによって形成できる。
【００３７】
このようにして誘電体シート２０〜２３を積層した後、熱圧着などの手段を適用して一体化し、焼成、端子形成工程などの必要な処理を実行する。これにより、図１〜図３に示したフィルタに用いられる共振器Ｑ１，Ｑ２が得られる。
【００３８】
この共振器の製造方法によれば、誘電体シートに設けたスルーホールＴＨ１〜ＴＨ３を利用して第１及び第２の内部電極５１，５２を形成しているから、本発明の共振器を容易に得ることができる。この製造方法は、フィルタ等の製造に当たっても適用できる。
【００３９】
先の実施形態に示したフィルタの製造にあたって、誘電体シート２１の厚みを適宜選択すれば、図３に示した突出長ΔＨを変更することができる。したがって、誘電体シート２１の厚みに応じて、図５に示すように、通過帯域の異なるフィルタを好適に製造することができる。なお、フィルタに設けられた他の電極Ｔ１，Ｔ２，ＧＮＤは、スパッタ、蒸着などの薄膜形成技術、印刷、めっき又はそれらの組み合わせによって形成できる。
【００４０】
これまで述べたように、本発明によれば、小型化及び低背化に好適な共振器、フィルタを提供することができる。また、上述した共振器、フィルタの製造に適した製造方法を提供することができる。
【００４１】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００４２】
【図１】本発明に係るフィルタを示す斜視図である。
【図２】図１に示したフィルタのII−II線断面図である。
【図３】図２に示したフィルタのIII−III線断面図である。
【図４】本発明に係る共振器の等価回路図である。
【図５】図１〜図３に示したフィルタの等価回路図である。
【図６】フィルタ特性、並びに比較例である。
【図７】本発明に係る共振器の製造工程を示す図である。
【図８】図７の工程の後の製造工程を示す図である。
【図９】図８の工程の後の製造工程を示す図である。
【図１０】図９の工程の後の製造工程を示す図である。
【図１１】図１０の工程の後の製造工程を示す図である。
【図１２】図１１の工程の後の製造工程を示す図である。
【図１３】図１２の工程の後の製造工程を示す図である。
【図１４】図１３の工程の後の製造工程を示す図である。
【図１５】図１４の工程の後の製造工程を示す図である。
【図１６】図１５の工程の後の製造工程を示す図である。
【符号の説明】
【００４３】
５３                        第１の内部電極
５２                        第２の内部電極
５４                        接続導体
Ｑ１，Ｑ２                  共振器
Ｄ                          誘電体基体
ＧＮＤ                      接地電極
Ｔ１                        第１の外部端子
Ｔ２                        第２の外部端子
２０，２１，２２            誘電体シート
ＴＨ１，ＴＨ２，ＴＨ３      スルーホール
Ｍ２                        誘電体ペースト
【図１】
0004706876.tif 000002
【図２】
0004706876.tif 000003
【図３】
0004706876.tif 000004
【図４】
0004706876.tif 000005
【図５】
0004706876.tif 000006
【図６】
0004706876.tif 000007
【図７】
0004706876.tif 000008
【図８】
0004706876.tif 000009
【図９】
0004706876.tif 000010
【図１０】
0004706876.tif 000011
【図１１】
0004706876.tif 000012
【図１２】
0004706876.tif 000013
【図１３】
0004706876.tif 000014
【図１４】
0004706876.tif 000015
【図１５】
0004706876.tif 000016
【図１６】
0004706876.tif 000017